(57)【特許請求の範囲】
【請求項１】
コンピュータ構成のディジタル処理手段を備え、低圧電気設備の絶縁監視部位の零相電流の計測値と整定値の比較によって、複数のチャンネル毎の絶縁を監視する絶縁監視装置において、
ディジタル処理手段のＤＯになり、チャンネル表示と漏電電流の計測値または整定値を表示できる数字表示器と、
ディジタル処理手段のＤＩになり、ＯＮ操作されたときに、整定値を選択する第１の押しボタンと、選択した整定値を決定する第２の押しボタンと、
ディジタル処理手段のＤＩになり、数値設定で各チャンネルの個別設定と全体設定を選択する第１のロータリースイッチと、前記数字表示器の表示を漏電電流の計測値と整定値に切り替える第２のロータリースイッチと、
前記押しボタンとロータリースイッチの操作の組み合わせに応じて、漏電電流の計測値確認と整定値確認・変更のための数値を前記数字表示器に切り替え表示および決定する絶縁監視処理手段とを備えると共に、
前記絶縁監視処理手段は、前記第1のロータリースイッチ、前記第２のロータリースイッチの数字表示器が共に表示漏電電流の計測値選択で、且つ前記第２の押しボタンが操作されたときに絶縁監視装置のリセットを行う装置リセット機能Ａと、
前記第１のロータリースイッチが全体の計測値選択、前記第２のロータリースイッチが漏電電流の整定値に選択されたときに各チャンネル毎の漏電電流の計測値の切替表示を行う機能Ｂと、
前記第１のロータリースイッチがチャンネル１の個別の整定値設定、第２ロータリースイッチが計測値の選択時にチャンネル１の計測・漏電電流値の表示を行う機能Ｃと、
前記第１ロータリースイッチがチャンネル１の個別の整定値設定、第２のロータリースイッチが共に漏電電流の整定値に選択されたときに表示対象をチャンネル１とし、現在の漏電電流の検出値表示を行う機能Ｄと、
前記第１，第２ロータリースイッチが共に漏電電流の整定値選択、前記第１の押しボタン操作時にチャンネル１の漏電電流の整定値の変更を行う機能Ｅと、
前記第１，第２ロータリースイッチが共に漏電電流の整定値選択、漏電電流の整定値の表示時に前記第２の押しボタンを操作することで選択されたチャンネル１の漏電電流検出値を決定する機能Ｆと、
を備えたことを特徴とする絶縁監視装置。
【請求項２】
前記数字表示器と押しボタンとロータリースイッチは、設定表示装置として一体に構成して既存の監視装置に実装し、
前記絶縁監視処理手段は、前記監視装置にソフトウェアとして追加実装した構成を特徴とする請求項１に記載の絶縁監視装置。
【発明の詳細な説明】
【技術分野】
【０００１】
本発明は、低圧電気設備の絶縁監視部位の零相電流の計測値と整定値の比較によって、チャンネル毎の絶縁を監視する絶縁監視装置に係り、特に漏電電流計測値及び各種検出値（整定値）の確認・変更方式に関する。
【背景技術】
【０００２】
この種の絶縁監視装置は、図７に構成例を示すように、１００Ｖ，２００Ｖ電灯回路、２００Ｖ，４００Ｖ動力回路などで構成される低圧電気設備に対し、これらの回路、機器等の電圧、電流計測等によって漏電（絶縁劣化）を監視する。
【０００３】
図８は、漏電電流監視機能をもつ従来の監視装置の構成を示す（例えば、特許文献１参照）。同図では、本来の回路遮断器としての機能である開閉制御部１の他に、計測出力部２を設ける。この計測出力部２では、回路遮断器に通電される電流、電圧計測回路部および漏洩電流計測回路部３と、これら計測値から電流値、電圧値、漏洩電流値、電力値、電力量値、力率値などを演算するＣＰＵ部４と、各種計測値を表示する表示部５と、計測値を出力信号に変換して上位装置へ送る通信Ｉ／Ｆ部６を備える。
【特許文献１】特開２００５−３０４１４８
【発明の開示】
【発明が解決しようとする課題】
【０００４】
図８に示す監視装置の計測出力部２は、低圧用の電路や機器などの電路へ取り付けられたクランプＣＴ（図７参照）より取り込んだ電流から漏電電流値を自動演算し、各種計測値を表示部５に表示する機能を有する。そして、通信Ｉ／Ｆ部６からは第３世代携帯電話網などの無線ネットワークを介して漏電情報を管理者等の上位装置に通知することができる。
【０００５】
このような監視端末にて計測される漏電電流値や設定値（整定値）の確認、また、設定値の変更などの保守点検を行う場合には、管理者が現場にメンテナンス用ツールを持ち込み、計測出力部２の通信Ｉ／Ｆ部６にメンテナンス用ツールを接続して確認や変更を行うことができる。
【０００６】
しかし、メンテナンス用ツールは、監視装置にパソコンを接続して使用するため、現場にパソコンを持参する必要があり手間がかかる。
【０００７】
本発明の目的は、従来のメンテナンス用ツールを不要にして、漏電電流の計測値確認や検出値確認・変更などが簡単にできる絶縁監視装置を提供することにある。
【課題を解決するための手段】
【０００８】
本発明は、前記の課題を解決するため、数字表示器と、押しボタン、ロータリースイッチ、漏電監視処理手段からなる設定表示装置を構成し、押しボタンとロータリースイッチの組み合わせ操作のみで、漏電電流の計測値確認や検出値（整定値）確認・変更などができるようにしたもので、以下の構成を特徴とする。
【０００９】
（１）コンピュータ構成のディジタル処理手段を備え、低圧電気設備の絶縁監視部位の零相電流の計測値と整定値の比較によって、複数のチャンネル毎の絶縁を監視する絶縁監視装置において、
ディジタル処理手段のＤＯになり、チャンネル表示と漏電電流の計測値または整定値を表示できる数字表示器と、
ディジタル処理手段のＤＩになり、ＯＮ操作されたときに、整定値を選択する第１の押しボタンと、選択した整定値を決定する第２の押しボタンと、
ディジタル処理手段のＤＩになり、数値設定で各チャンネルの個別設定と全体設定を選択する第１のロータリースイッチと、前記数字表示器の表示を漏電電流の計測値と整定値に切り替える第２のロータリースイッチと、
前記押しボタンとロータリースイッチの操作の組み合わせに応じて、漏電電流の計測値確認と整定値確認・変更のための数値を前記数字表示器に切り替え表示および決定する絶縁監視処理手段とを備えると共に、
前記絶縁監視処理手段は、前記第1のロータリースイッチ、前記第２のロータリースイッチの数字表示器が共に表示漏電電流の計測値選択で、且つ前記第２の押しボタンが操作されたときに絶縁監視装置のリセットを行う装置リセット機能Ａと、
前記第１のロータリースイッチが全体の計測値選択、前記第２のロータリースイッチが漏電電流の整定値に選択されたときに各チャンネル毎の漏電電流の計測値の切替表示を行う機能Ｂと、
前記第１のロータリースイッチがチャンネル１の個別の整定値設定、第２ロータリースイッチが計測値の選択時にチャンネル１の計測・漏電電流値の表示を行う機能Ｃと、
前記第１ロータリースイッチがチャンネル１の個別の整定値設定、第２のロータリースイッチが共に漏電電流の整定値に選択されたときに表示対象をチャンネル１とし、現在の漏電電流の検出値表示を行う機能Ｄと、
前記第１，第２ロータリースイッチが共に漏電電流の整定値選択、前記第１の押しボタン操作時にチャンネル１の漏電電流の整定値の変更を行う機能Ｅと、
前記第１，第２ロータリースイッチが共に漏電電流の整定値選択、漏電電流の整定値の表示時に前記第２の押しボタンを操作することで選択されたチャンネル１の漏電電流検出値を決定する機能Ｆと、
を備えたことを特徴とする。
【００１０】
（２）前記数字表示器と押しボタンとロータリースイッチは、設定表示装置として一体に構成して既存の監視装置に実装し、
前記絶縁監視処理手段は、前記監視装置にソフトウェアとして追加実装した構成を特徴とする。
【発明の効果】
【００１１】
以上のとおり、本発明によれば、数字表示器と、押しボタン、ロータリースイッチ、漏電監視処理手段からなる設定表示装置を構成し、押しボタンとロータリースイッチの組み合わせ操作のみで、漏電電流の計測値確認や検出値（整定値）確認・変更などができるようにしたため、従来のメンテナンス用ツールを不要にして、漏電電流の計測値確認や検出値確認・変更などが簡単にできる。
【００１２】
具体的には、既存の監視装置側で漏電電流の計測値確認や設定値確認・変更などが行えるため、従来のように管理者がパソコンや計測器を持参して現場に行く必要がない。
【００１３】
また、数字表示器、ロータリースイッチ、押しボタンなどの安価な部材を使用して機能を実現しているため、製品のコストを大きく抑えることができる。
【発明を実施するための最良の形態】
【００１４】
図１は、本発明の実施形態を示す低圧電気設備の監視装置である。この監視装置は、基本的には、アナログ入力部で取得する各種アナログ計測信号をディジタル量に変換し、コンピュータによるディジタル処理で各種の電気量を監視する。
【００１５】
アナログ入力部は、低圧電気設備の各部位に接続した変流器や変圧器の変成信号をフィルタＡＦと増幅器ＯＰＡＭＰで取り込む。これらアナログ信号は、ＭＰＸ＋Ａ／Ｄ変換器でディジタル信号に変換する。ディジタル入力部は外部警報信号等を接点入力としてＤＩ回路で取り込む。ＣＰＵは、ＭＰＸ＋Ａ／Ｄ変換器、メモリ、ＰＬＤ（プログラマブル・コントローラ）、拡張カードなどと共にバス接続されてコンピュータを構成し、各種の監視機能をソフトウェア構成で実現する。また、ＣＰＵは、処理結果を通信モジュールを介して上位装置との無線通信を可能とし、さらにＲＳ−２３２ＣＩ／Ｆを介してメンテナンス用パソコンＰＣとの間でメンテナンス用情報の入出力を可能にする。
【００１６】
以上までの構成は、既存の監視装置のもので、本実施形態では既存の監視装置に漏電電流計測値確認や漏電検出値（整定値）確認・変更などを可能とする絶縁監視機能を追加する。この絶縁監視機能を実現するため、ハードウェアとして、ＤＯになる数字表示器１０と、ＤＩになる押しボタン２０と、ＤＩになるロータリースイッチ３０で取り扱うデータをコンピュータのバスから入出力可能に備える。また、ＣＰＵによる絶縁監視処理のためのプログラムをＰＬＤ等に追加する。また、低圧電気設備の絶縁監視対象となる部位の零相電流Ｉ0をアナログ入力とし、これをディジタルデータとして絶縁監視処理に取り込む。
【００１７】
図２は、数字表示器１０、押しボタン２０およびロータリースイッチ３０を一体に実装した設定表示装置の構成例を示す。数字表示器１０は、７セグメント構成の４つの数字表示器を横に配置して１つまたは複数の数値を表示可能にする。押しボタン２０は、押しボタン２０Ａと２０Ｂの２つで構成し、押しボタン２０ＡはそのＯＮで変更しようとする漏電検出値を選択し、押しボタン２０Ｂは選択表示する漏電検出値を決定する。ロータリースイッチ３０は、ロータリースイッチ３０Ａと３０Ｂの２つで構成し、ロータリースイッチ３０Ａはその設定数値で設定表示対象となるチャンネルの個別設定と全体設定を選択し、ロータリースイッチ３０Ｂは「０」、「１」で数字表示器１０の表示を漏電電流の計測値と検出値に切り替える。
【００１８】
図２の設定表示装置の構成において、押しボタン２０とロータリースイッチ３０の組み合わせ操作により、図３に示す複数の設定表示機能Ａ〜Ｉを実現する。以下に設定表示機能の詳細を記す。
【００１９】
（機能Ａ）ロータリースイッチ３０Ａ：「０」、ロータリースイッチ３０Ｂ：「０」の場合、押しボタン２０ＢをＯＮする（押す）ことにより、監視装置のＣＰＵをリセットする。
【００２０】
この機能Ａは、図４に示す処理フローのうち、ステップ（Ｓ１〜Ｓ６）で実現する。すなわち、ロータリースイッチ３０Ａ、３０Ｂの状態を読み込み（Ｓ１）、その解析を行い（Ｓ２）、ロータリースイッチ３０Ｂが「０」のとき（Ｓ３）、押しボタン２０Ｂの状態を確認し（Ｓ４）、それが「ＯＮ」状態（押されて）にあるとき（Ｓ５）、装置リセットを実行する（Ｓ６）。
【００２１】
（機能Ｂ）ロータリースイッチ３０Ａ：「０」、ロータリースイッチ３０Ｂ：「１」の場合、「計測・漏電電流値表示（一括）」を行う。
【００２２】
この機能Ｂは、図４に示す処理フローのうち、ステップ（Ｓ１〜Ｓ３、Ｓ７、Ｓ８）で実現する。すなわち、ロータリースイッチ３０Ｂが「０」でないとき、ロータリースイッチ３０Ｂが「１」であれば（Ｓ７）、計測・漏電電流値表示を行う（Ｓ８）。
【００２３】
この表示は、全ＣＨ（１〜４）の漏電電流値を”ＣＨＮｏ、”＋”＊＊＊”で切り替えて表示する。また、”ＣＨＮｏ”はフリッカ表示とし、各ＣＨ表示は例えば５秒ごとに切り替える。
【００２４】
この表示例を図５の（ａ）に示す。同図では、ＣＨ１：２００ｍＡ、ＣＨ２：２５０ｍＡ、ＣＨ３：３００ｍＡ、ＣＨ４：５０ｍＡのとき、数字表示器１０の先頭配置の数字表示器でチャンネル表示し、残りの３桁で電流値（ｍＡ）を表示し、それぞれを５秒間隔で切り替える。
【００２５】
（機能Ｃ）ロータリースイッチ３０Ａ：「１」、ロータリースイッチ３０Ｂ：「０」の場合、「計測・漏電電流値表示（各ＣＨ）」の表示対象をＣＨ１の漏電電流値としてその表示をする。
【００２６】
例えば、ＣＨ１の計測電流が２００ｍＡのとき、図５の（ｂ）に示すように、数字表示器１０の下３桁に”２００ｍＡ”を表示し、先頭の桁にはチャンネル”１”の表示およびフリッカをしない。
【００２７】
この機能Ｃは、図６に示す処理フローのうち、ステップ（Ｓ１１〜Ｓ１４）で実現する。すなわち、ロータリースイッチ３０Ａ、３０Ｂの状態を読み込み（Ｓ１１）、その解析を行い（Ｓ１２）、ロータリースイッチ３０Ｂが「０」のとき（Ｓ１３）、数字表示器１０にＣＨ１の計測・漏電電流値表示を行う（Ｓ１４）。
【００２８】
（機能Ｄ）ロータリースイッチ３０Ａ：「１」、ロータリースイッチ３０Ｂ：「１」の場合、「計測・漏電電流値表示（各ＣＨ）」の表示対象をＣＨ１とし、現在の漏電検出値を表示する。
【００２９】
例えば、ＣＨ１の漏電検出値が１００ｍＡのとき、図５の（ｃ）に示すように、数字表示器１０の下３桁に”１００ｍＡ”を表示し、先頭の桁にはチャンネル”１”の表示およびフリッカをしない。
【００３０】
（機能Ｅ、Ｆ）ロータリースイッチ３０Ａ：「１」、ロータリースイッチ３０Ｂ：「１」の場合、かつ押しボタン２０Ａまたは２０Ｂがオンされているとき、漏電検出値変更を行い、この変更に押しボタン２０Ａが押されたときはＣＨ１の漏電検出値の表示を選択し、押しボタン２０Ｂが押されたときは選択された漏電検出値に決定する。
【００３１】
すなわち、（ａ）押しボタン２０Ａを押すことで漏電検出値の変更モードとなり、漏電検出値表示をフリッカさせる。（ｂ）更に押しボタン２０Ａが押されるたびに漏電検出値を切り替える。例えば、図５の（ｄ）に例を示すように、設定値：５０ｍＡ，１００ｍＡ，２００ｍＡ，４００ｍＡに切り替える。（ｃ）押しボタン２０Ｂを押すことで漏電検出値の変更を完了する。
【００３２】
これらの機能ＤおよびＥは、図６に示す処理フローのうち、ステップ（Ｓ１５〜Ｓ２２）で実現する。すなわち、ロータリースイッチ３０Ｂが「１」のとき（Ｓ１５）、数字表示器１０に漏電検出値を表示し（Ｓ１６）、押しボタン２０Ａの状態を確認し（Ｓ１７）、それが押されたとき（Ｓ１８）、それが１回目のときは数字表示器１０をフリッカ表示し、２回目以降は表示を切り替える（Ｓ１９）。その後、押しボタン２０Ｂを確認し（Ｓ２０）、それが押されたとき（Ｓ２１）、漏電検出値を決定する（Ｓ２２）。
【００３３】
なお、他のチャンネルＣＨ２〜ＣＨ４も同様の処理になる。これらの処理には、図３の機能Ｇ，Ｈ，Ｉで示すように、ロータリースイッチ３０Ａが値「２」〜「４」に切り替えられた状態で、チャンネルＣＨ２〜ＣＨ４の処理を行う。
【図面の簡単な説明】
【００３４】
【図１】本発明の実施形態を示す低圧電気設備の監視装置。
【図２】設定表示装置の構成例。
【図３】設定表示機能の図。
【図４】処理フロー（その１）。
【図５】表示例。
【図６】処理フロー（その２）。
【図７】絶縁監視装置の構成例。
【図８】漏電電流監視機能をもつ従来の監視装置。
【符号の説明】
【００３５】
１０  数字表示器
２０、２０Ａ、２０Ｂ  押しボタン
３０、３０Ａ、３０Ｂ  ロータリースイッチ
【図１】
0005374907.tif 000002
【図２】
0005374907.tif 000003
【図３】
0005374907.tif 000004
【図４】
0005374907.tif 000005
【図５】
0005374907.tif 000006
【図６】
0005374907.tif 000007
【図７】
0005374907.tif 000008
【図８】
0005374907.tif 000009